(57)【特許請求の範囲】
【請求項１】
賞球タンクから供給される賞球を上皿又は下皿に向けて払い出す賞球払出手段と、
前記賞球タンク又は前記賞球タンクと前記賞球払出手段とを接続する賞球路に賞球が存在することを検出する賞球検出手段と、
前記賞球検出手段によって賞球の存在が検出されている場合に、前記賞球払出手段に対して賞球の払い出しを指令する払出指令手段と、
を備えるパチンコ遊技機であって、
外部からの操作に基づいて前記払出指令手段に対して信号を入力する入力手段を備え、
前記払出指令手段は、前記入力手段から前記信号が入力されている場合にも、前記賞球払出手段に対して賞球の払い出しを指令すると共に、
遊技盤に設けられた入賞口に入賞した入賞球が存在することを検出する入賞球検出手段を備え、
前記払出指令手段は、前記賞球検出手段によって賞球の存在が検出されている場合、または、前記入力手段から前記信号が入力されている場合に、前記入賞球検出手段によって入賞球の存在が検出されていることを条件として、前記賞球払出手段に対して賞球の払い出しを指令する
ことを特徴とするパチンコ遊技機。
【請求項２】
前記払出指令手段は制御回路によって構成されており、
前記賞球検出手段は、入力端子と出力端子とを介して前記制御回路に接続され、前記入力端子を介して前記制御回路からＨＩＧＨレベル信号が入力されることに起因して、賞球の存在を検出している場合には前記出力端子を介して前記制御回路にＨＩＧＨレベル信号を出力し、賞球の存在を検出していない場合には前記出力端子を介して前記制御回路にＬＯＷレベル信号を出力する検出回路によって構成されており、
前記入力手段は、前記検出回路と並列に接続され、外部からの操作に応じて接続状態・開放状態が切り換わるスイッチによって構成されており、
前記スイッチが接続状態となることによって前記入力端子と前記出力端子とが短絡される
ことを特徴とする請求項１に記載のパチンコ遊技機。
【発明の詳細な説明】
【０００１】
【発明の属する技術分野】
本発明は、パチンコ遊技機、特に、点検作業等を行う際に賞球，入賞球を容易に抜き取ることができるパチンコ遊技機に関する。
【０００２】
【従来の技術、及び発明が解決しようとする課題】
従来のパチンコ遊技機では、賞球タンクと賞球払出装置（賞球払出手段）とを接続する賞球路に賞球が存在することを賞球路球センサ（賞球検出手段）が検出している状態で、遊技盤に設けられた入賞口にパチンコ球が入賞すると、枠制御基板の演算制御回路（払出指令手段）が賞球払出装置に賞球の払い出しを指令し、この指令に従って賞球払出装置が賞球タンクから供給される賞球を上皿又は下皿に向けて払い出す様に構成されている。
【０００３】
又、入賞口に入賞したパチンコ球（入賞球）は入賞球排出装置（入賞球保持手段）によって保持されており、賞球払出装置により賞球が払い出されると、制御装置（保持解除指令手段）が入賞球排出装置に入賞球の保持の解除を指令し、この指令に従って入賞球排出装置が入賞球の保持を解除して遊技島内に排出する様に構成されている。
【０００４】
ところで、パチンコ遊技場においてパチンコ遊技機の点検作業等を行う際、パチンコ遊技機内の賞球，入賞球を全て抜き取りたいことがある。又、製造工場においては、出荷前に動作試験を行った後、賞球，入賞球を全て抜き取ってから出荷しなければならない。しかし、賞球が少なくなって賞球路球センサが賞球の存在を検出しなくなると、枠制御基板の演算制御回路が賞球払出装置に対して賞球の払い出しを指令しなくなるので、賞球路球センサと賞球払出装置との間に賞球が残ってしまう。又、賞球払出装置が賞球を払い出さなくなると、枠制御基板の演算制御回路が入賞球排出装置に対して入賞球の保持の解除を指令しなくなるので、入賞球排出装置に入賞球が保持されたまま残ってしまう。このため、最後には、賞球払出装置のモータや入賞球排出装置のソレノイドを直接手作業によって作動させ、賞球，入賞球を抜き取ることになるので、非常に面倒である。
【０００５】
そこで、本発明は、点検作業等を行う際に賞球，入賞球を容易に抜き取ることができるパチンコ遊技機を提供することを目的とする。
【０００６】
【課題を解決するための手段、及び発明の効果】
この様な目的を達成するため、本発明にかかるパチンコ遊技機は、賞球タンクから供給される賞球を上皿又は下皿に向けて払い出す賞球払出手段と、前記賞球タンク又は前記賞球タンクと前記賞球払出手段とを接続する賞球路に賞球が存在することを検出する賞球検出手段と、前記賞球検出手段によって賞球の存在が検出されている場合に、前記賞球払出手段に対して賞球の払い出しを指令する払出指令手段と、を備えるパチンコ遊技機であって、外部からの操作に基づいて前記払出指令手段に対して信号を入力する入力手段を備え、前記払出指令手段は、前記入力手段から前記信号が入力されている場合にも、前記賞球払出手段に対して賞球の払い出しを指令することを特徴とする。
【０００７】
本発明にかかるパチンコ遊技機では、点検作業等を行う際、外部から入力手段を操作して払出指令手段に対して信号を入力していれば、パチンコ遊技機内の賞球を抜き取るに連れて賞球が減少し、その結果賞球検出手段が賞球の存在を検出しなくなっても、払出指令手段は、賞球タンク又は賞球路に賞球が存在する場合と同様に、賞球払出手段に対して賞球の払い出しを指令する。このため、賞球検出手段と賞球払出手段との間の賞球も１つ残らず抜き取ることができ、非常に便利である。尚、払出指令手段は、詳しくは、予め設定されている賞球払い出しの前提条件（例えば、賞球を払い出すためのモータが待機状態であること、断線が検出されていないこと等）が成立しており、かつ、賞球検出手段によって賞球の存在が検出されている場合に払い出しを指令する。
【０００８】
又、本発明にかかるパチンコ遊技機は、遊技盤に設けられた入賞口に入賞した入賞球が存在することを検出する入賞球検出手段を備え、前記払出指令手段は、前記賞球検出手段によって賞球の存在が検出されている場合、または、外部からの操作に基づいて前記入力手段から前記信号が入力されている場合に、前記入賞球検出手段によって入賞球の存在が検出されていることを条件として、前記賞球払出手段に対して賞球の払い出しを指令する様に構成されている。
【０００９】
この様に構成されているため、点検作業等を行う際、外部から入力手段を操作して払出指令手段に対して信号を入力していれば、賞球検出手段が賞球の存在を検出しなくなっても、払出指令手段は、賞球タンク又は賞球路に賞球が存在する場合と同様に、賞球払出手段に対して賞球の払い出しを指令する。このため、賞球検出手段と賞球払出手段との間の賞球も１つ残らず抜き取ることができ、非常に便利である。
【００１１】
又、請求項２に記載した様に、本発明にかかるパチンコ遊技機において、前記払出指令手段は制御回路によって構成されており、前記賞球検出手段は、入力端子と出力端子とを介して前記制御回路に接続され、前記入力端子を介して前記制御回路からＨＩＧＨレベル信号が入力されることに起因して、賞球の存在を検出している場合には前記出力端子を介して前記制御回路にＨＩＧＨレベル信号を出力し、賞球の存在を検出していない場合には前記出力端子を介して前記制御回路にＬＯＷレベル信号を出力する検出回路によって構成されており、前記入力手段は、前記検出回路と並列に接続され、外部からの操作に応じて接続状態・開放状態が切り換わるスイッチによって構成されており、前記スイッチが接続状態となることによって前記入力端子と前記出力端子とが短絡される様に構成されていると更に良い。
【００１２】
この様に構成されている場合には、賞球検出手段を構成する検出回路は、賞球の存在を検出している場合には払出指令手段を構成する制御回路に対してＨＩＧＨレベル信号を返し、賞球の存在を検出していない場合にはＬＯＷレベル信号を返すことによって賞球の有無を知らせる。そして、検出回路には、入力手段を構成するスイッチが並列に接続され、スイッチが接続状態となることによって検出回路の入力端子と出力端子とが短絡される様に構成されているので、検出回路が賞球の存在を検出していない場合であっても、スイッチが接続状態となっている場合には、制御回路から入力されて検出回路の入力端子に現れるＨＩＧＨレベル信号が、接続状態のスイッチを介して検出回路の出力端子に現れ、そのまま制御回路に対してＨＩＧＨレベル信号が返される。
【００１３】
この様に構成されている場合には、入力手段の構成及び作用が非常に簡潔であるので、パチンコ遊技機の製造コストの増加を抑えることができる。又、入力手段を構成するスイッチを賞球検出手段を構成する検出回路に並列接続するだけで良いので、組立工数の増加を抑えることもできる。
【００１４】
尚、賞球検出手段として、賞球の存在を検出している場合にＬＯＷレベル信号を出力する検出回路を採用し、入力手段を構成するスイッチを検出回路と直列接続する様に構成しても良いが、この様に構成されている場合には、万一断線が発生すると、制御回路に対して常にＬＯＷレベル信号が返されるので、払出指令手段は、常に賞球が存在しているとみなしてしまう。すると、実際の遊技において、賞球が存在しないにもかかわらず賞球払出動作を行ってしまい、入賞しても賞球が払い出されず、更に、賞球を払い出したつもりで入賞球を排出してしまうので、入賞の証拠が残らない。このため、遊技者とパチンコ遊技場との間で争いが発生するおそれがある。
【００１５】
これに対し、請求項２に記載した様に、賞球の存在を検出している場合にＨＩＧＨレベル信号を出力する検出回路を採用し、入力手段を構成するスイッチを検出回路と並列接続する様に構成した場合には、断線が発生して制御回路に対して常にＬＯＷレベル信号が返される様になると、賞球が存在しないとみなされるので、誤った賞球払出動作は行われない。このため、前述した様な争いが発生するおそれはない。
【００１６】
【発明の実施の形態】
以下、本発明の一実施例を図面に基づいて説明する。
まず、本実施例のパチンコ遊技機の構成について説明する。
図１は、本実施例のパチンコ遊技機の裏面の外観を説明するための斜視図である。図２は、内枠及び機構盤が開けられている状態を説明するための斜視図である。図３は、機構盤に備えられている各種装置の配置を説明するための正面図である。図４は、賞球の払い出しにかかる装置の電気的接続関係を説明するためのブロック図である。
【００１７】
本実施例のパチンコ遊技機１は、図１，２に示す様に、遊技島に固定される外枠１０と、外枠１０に対して開閉自在に設置される内枠２０と、を備える。具体的には、内枠２０は、軸支部材１４ａ，１４ｂによって、外枠１０に対して扉状に開閉することができる様に軸支されている。
【００１８】
そして、内枠２０には、先端が鈎状に形成された掛止鈎２２ａ，２２ｂが設置され、外枠１０には、被掛止板１２ａ，１２ｂが設置されており、掛止鈎２２ａ，２２ｂが各々被掛止板１２ａ，１２ｂに掛かると、内枠２０は、外枠１０に対して閉じられた状態で保持される。尚、掛止鈎２２ａ，２２ｂ及び被掛止板１２ａ，１２ｂの構造及び動作については一般に良く知られているので、詳細な説明は省略する。
【００１９】
又、内枠２０は、遊技盤３０を支持するためのミドルプレート２４と、ミドルプレート２４に対して開閉自在に設置される機構盤４０と、パチンコ球を発射するためのパチンコ球発射装置５０と、を備える。具体的には、機構盤４０は、軸支部材２８ａ，２８ｂによって、ミドルプレート２４に対して扉状に開閉することができる様に軸支されている。又、パチンコ球発射装置５０は、ベース５２を介して内枠２０に固定されている。又、ミドルプレート２４の左上部の掛止鈎２２ａ近傍には、内枠２０の開閉状態を検出するための内枠開放検出部６０が設置されている。
【００２０】
機構盤４０は、図３，４に示す様に、賞球タンク４２と、賞球路４４ａと、賞球路４４ｂと、球抜き路４６と、球抜き弁４６ａと、賞球払出装置７２と、賞球路球センサ７４と、入賞球排出装置７６と、枠制御基板７８と、メイン基板８０と、球抜きスイッチ８２と、賞球切れランプ８４と、を備える。又、遊技盤３０裏面には液晶ディスプレイや電動役物の駆動装置等が突出しているので、機構盤４０には、この突出部によって機構盤４０の開閉が妨げられない様にするための開口部４０ａが設けられている。
【００２１】
賞球タンク４２は、賞球として用いるためのパチンコ球を貯蔵するためのものである。
賞球路４４ａは、賞球タンク４２と賞球払出装置７２とを接続するためのものであり、賞球路４４ｂは、賞球払出装置７２と上皿及び下皿（図示せず）とを接続するためのものである。
【００２２】
賞球払出装置７２は、枠制御基板７８からの指令に従って、賞球路４４ａを介して賞球タンク４２から供給される賞球を賞球路４４ｂを介して上皿及び下皿に向けて払い出すためのものであり、モータ７２ａと、スプロケット７２ｂと、を備える。そして、枠制御基板７８からの指令に従ってモータ７２ａを回転させ、モータ７２ａの回転によってスプロケット７２ｂを回転させることにより、所定個数の賞球を払い出す様に構成されている。
【００２３】
賞球路球センサ７４は、賞球路４４ａに賞球が存在することを検出するためのものであり、賞球路４４ａの途中に設置されており、賞球が存在する場合には端子Ｔ２の電位がＨＩＧＨレベルとなり、賞球が存在しない場合には端子Ｔ２の電位がＬＯＷレベルとなる様に構成されている。具体的には、図５に示す様に、賞球路球センサ７４は、トランジスタＸ１，抵抗Ｒ１，発光ダイオードＤ１，Ｄ２，フォトトランジスタＰ１，Ｐ２等を備え、発光ダイオードＤ１，Ｄ２とフォトトランジスタＰ１，Ｐ２との間を賞球が通る様に構成されている。又、端子Ｔ１の電位は入出力回路７８ｂにより常時１２Ｖに保持されており、抵抗Ｒ１の抵抗値は、入出力回路７８ｂを構成する抵抗Ｒ２，Ｒ３の抵抗値より十分に大きく設定されている。
【００２４】
そして、賞球が存在する場合には、発光ダイオードＤ１，Ｄ２の光が賞球によって遮られてフォトトランジスタＰ１，Ｐ２のベースに到達しないので、フォトトランジスタＰ１，Ｐ２はＯＦＦ状態（コレクタ・エミッタ間開放）となり、トランジスタＸ１のベース・エミッタ間に電位差が生じてトランジスタＸ１がＯＮ状態（コレクタ・エミッタ間略短絡）となり、端子Ｔ２の電位は端子Ｔ１の電位と略一致する。即ち、端子Ｔ２の電位はＨＩＧＨレベルとなる。一方、賞球が存在しない場合には、発光ダイオードＤ１，Ｄ２の光がフォトトランジスタＰ１，Ｐ２のベースに到達するので、フォトトランジスタＰ１，Ｐ２はＯＮ状態（コレクタ・エミッタ間略短絡）となり、トランジスタＸ１のベース・エミッタ間が短絡されてトランジスタＸ１がＯＦＦ状態（コレクタ・エミッタ間開放）となり、端子Ｔ２の電位は、抵抗Ｒ１による電圧降下の影響でＬＯＷレベルとなる。そして、端子Ｔ２の電位がＨＩＧＨレベルであるかＬＯＷレベルであるかによって入出力回路７８ｂを構成するトランジスタＸ２のＯＮ状態・ＯＦＦ状態が切り替えられ、これに伴って、演算制御回路７８ａに対する入力信号が切り替えられる。
【００２５】
入賞球排出装置７６は、遊技盤３０に設けられた入賞口（図示せず）に入賞した入賞球を一時的に保持する入賞球保持機構７６ａと、入賞球保持機構７６ａに保持されている入賞球が存在することを検出する入賞球センサ７６ｂと、を備える。
【００２６】
入賞球保持機構７６ａは、ソレノイド７６ｓが非励磁状態である場合には入賞球を保持し、ソレノイド７６ｓが励磁状態へ遷移し、その後非励磁状態へ復帰することによってプランジャ７６ｐが１回往復すると入賞球を１個排出する様に構成されている。尚、入賞球保持機構７６ａの構造及び動作については一般に良く知られているので、詳細な説明は省略する。
【００２７】
入賞球センサ７６ｂは、導体の接近に伴う磁界の変化を検出することができる近接スイッチによって構成されており、賞球路球センサ７４と同様に、端子Ｔ３の電位は枠制御基板７８により常時ＨＩＧＨレベルに保持されており、入賞球が存在する場合には端子Ｔ４の電位がＨＩＧＨレベルとなり、入賞球が存在しない場合には端子Ｔ４の電位がＬＯＷレベルとなる様に構成されている。
【００２８】
枠制御基板７８は、賞球路球センサ７４，メイン基板８０等からの入力に応じて、入賞球保持機構７６ａのソレノイド７６ｓの励磁・非励磁を切り換えて入賞球を排出させると共に、賞球払出装置７２に指令を出して賞球を払い出させるためのものであり、ＣＰＵ，ＲＯＭ，ＲＡＭ等によって構成される演算制御回路７８ａと、賞球払出装置７２，賞球路球センサ７４，メイン基板８０等との間で各種信号の授受を行うための入出力回路７８ｂと、を備える。そして、枠制御基板７８からの指令に基づいて賞球払出装置７２から賞球として払い出されたパチンコ球は、賞球路４４ｂを下方へ進み、分岐点を直進してまず上皿に供給され、上皿に入りきらないパチンコ球については、分岐点を左折して、機構盤４０の下部から球受け２６を経由して下皿へ供給される。又、枠制御基板７８は、パチンコ球発射装置５０に電力供給ケーブルＣを介して動作電力を供給するための電源ターミナル７８ｔを備える。
【００２９】
メイン基板８０は、枠制御基板７８に対して賞球払出装置７２に払い出させる賞球の個数等を伝えるためのものであり、同様に、演算制御回路，入出力回路等を備えるが、図示は省略する。
球抜きスイッチ８２は、押圧されている間だけ接続状態となる押し釦式のスイッチであり、賞球路球センサ７４と並列に接続されている。そして、球抜きスイッチ８２が押圧されて接続状態となると、端子Ｔ１，Ｔ２間は短絡され、端子Ｔ２の電位は端子Ｔ１の電位と一致する。即ち、ＨＩＧＨレベルとなる。
【００３０】
賞球切れランプ８４は、賞球として用いるパチンコ球が不足している旨をパチンコ遊技場の店員に知らせるためのものである。
続いて、本実施例のパチンコ遊技機の作用を、フローチャートに沿って説明する。図６は、枠制御基板７８の演算制御回路７８ａが行う賞球払出処理の流れを説明するためのフローチャートである。
【００３１】
この処理は、図示しない電源装置からパチンコ遊技機１の各部に動作電力が供給され、演算制御回路７８ａのＣＰＵがＲＯＭに記憶されている処理手順を読み出して実行することにより開始される。
この処理が開始されると、演算制御回路７８ａは、賞球路球センサ７４によって賞球の存在が検出されているか、又は、球抜きスイッチ８２が押圧されているかを判断する（Ｓ１０）。そして、賞球路球センサ７４によって賞球の存在が検出されておらず、かつ、球抜きスイッチ８２が押圧されていない場合には（Ｓ１０において「ＮＯ」）、賞球が不足しているとみなし、賞球切れランプ８４を点灯させる（Ｓ１５）。そして、スタートに戻り、再びＳ１０から処理を行う。一方、賞球路球センサ７４によって賞球の存在が検出されている場合、又は、球抜きスイッチ８２が押圧されている場合には（Ｓ１０において「ＹＥＳ」）、Ｓ２０に進む。
【００３２】
続いて、演算制御回路７８ａは、賞球払出装置７２に払い出させる賞球の個数が、入出力回路７８ｂを介してメイン基板８０から伝えられて確定しているか否かを判断する（Ｓ２０）。ここで、メイン基板８０から伝えられる賞球の個数は２通りあるのが一般的であり、例えば、大入賞口にパチンコ球が入賞した場合の賞球の個数は１５個、大入賞口以外の入賞口にパチンコ球が入賞した場合の賞球の個数は７個である。具体的には、メイン基板８０は、大入賞口以外の入賞口に入賞したパチンコ球の個数（以下「一般入賞個数」という。）を記憶する様に構成されており、入賞球センサ７６ｂが入賞球の存在を検出した時点でメイン基板８０に記憶されている一般入賞個数が０でない場合には、メイン基板８０から枠制御基板７８に対して、賞球の個数を７個とする旨が伝えられる。又、このとき、メイン基板８０は、自身が記憶している一般入賞個数を１減少させる。一方、一般入賞個数が０である場合には、メイン基板８０から枠制御基板７８に対して、賞球の個数を１５個とする旨が伝えられる。そして、賞球の個数が確定していない場合には（Ｓ２０において「ＮＯ」）、スタートに戻り、再びＳ１０から処理を行う。一方、賞球の個数が確定している場合には（Ｓ２０において「ＹＥＳ」）、Ｓ３０に進む。
【００３３】
続いて、演算制御回路７８ａは、入賞球保持機構７６ａを構成するソレノイド７６ｓに電流を流して励磁状態にすることによって、入賞球保持機構７６ａが保持していた入賞球の内の先頭の１個を遊技島内部へ排出させると共に、入出力回路７８ｂを介して賞球払出装置７２に指令を出し、既に確定している個数（７個あるいは１５個）の賞球を払い出させる（Ｓ３０）。次に、演算制御回路７８ａは、ソレノイド７６ｓに電流を流すのを止めて非励磁状態にすることによって、プランジャ７６ｐを含む入賞球保持機構７６ａ全体を初期状態に戻す（Ｓ４０）。尚、Ｓ４０の処理は、Ｓ３０において賞球払出装置７２に対して払い出しを指令している最中、具体的にはＳ３０の処理が開始されてから３３２ｍｓ後に実行される。そして、スタートに戻り、再びＳ１０から処理を行う。
【００３４】
続いて、本実施例のパチンコ遊技機から実際に賞球及び入賞球を抜き取る場合の動作内容について一例を挙げて説明する。尚、賞球払出装置７２の上流側に賞球が３０個以上存在すると賞球路球センサ７４が賞球の存在を検出する様に構成されており、初期状態において賞球タンク４２が賞球で満たされていることとする。
【００３５】
まず、パチンコ遊技場の店員は、鍵を用いて施錠装置による施錠を解除し、パチンコ遊技機１の内枠２０を開ける。次に、球抜き弁４６ａを開き、球抜き弁４６ａの上流に存在するパチンコ球を球抜き路４６から抜く。続いて、金枠を開け、大入賞口にパチンコ球を投入する（あるいは、内枠２０の裏側から入賞球排出装置７６に直接投入する）。すると、賞球払出装置７２から１５個の賞球が払い出され、入賞口から投入されたパチンコ球は、入賞球保持機構７６ａで一時的に保持された後、賞球の払い出しと共に排出される。
【００３６】
この作業を繰り返してパチンコ遊技機１内の賞球が２９個以下になると、賞球路球センサ７４は賞球の存在を検出することができなくなり（Ｓ１０において「ＮＯ」）、これ以上大入賞口にパチンコ球を投入しても賞球は払い出されない。しかし、球抜きスイッチ８２を押し（Ｓ１０において「ＹＥＳ」）、この状態で大入賞口にパチンコ球を１個投入すれば、賞球払出装置７２から１５個の賞球が払い出される。そして、球抜きスイッチ８２を押した状態で再び大入賞口にパチンコ球を１個投入すれば、賞球は全て払い出される。
【００３７】
尚、本実施例において、賞球払出装置７２が前述した賞球払出手段に相当し、賞球路球センサ７４が前述した賞球検出手段に相当し、演算制御回路７８ａが行う賞球払い出し処理のＳ３０の処理が前述した払出指令手段の作用に相当し、球抜きスイッチ８２が前述した入力手段に相当し、入賞球センサ７６ｂが前述した入賞球検出手段に相当する。
【００３８】
続いて、本実施例のパチンコ遊技機の効果について説明する。
本実施例のパチンコ遊技機１では、点検作業等を行う際、入賞球が入賞球保持機構７６ａに保持されている状態で、球抜きスイッチ８２を押していれば、パチンコ遊技機１内の賞球が減少して賞球路球センサ７４が賞球の存在を検出しなくなっても、枠制御基板７８の演算制御回路７８ａは、賞球路４４ａに賞球が存在するとみなし、賞球払出装置７２に賞球を払い出させると共に、入賞球排出装置７６に入賞球を排出させる。このため、賞球及び入賞球を１つ残らず容易に抜き取ることができ、非常に便利である。
【００３９】
又、球抜きスイッチ８２は、賞球路球センサ７４と並列に接続され、押圧されると端子Ｔ１，Ｔ２間が短絡される様に構成されているので、構成が非常に簡潔であり、パチンコ遊技機１の製造コストの増加を抑えることができる。又、賞球路球センサ７４と並列に接続するだけで良いので、組立工数の増加を抑えることもできる。
【００４０】
又、球抜きスイッチ８２は、機構盤４０の角部分に設置されているので、製造工場において動作試験を行う際に、パチンコ遊技機１の表面に設置されている表示装置，ランプ等の点灯・消灯を確認しながら、パチンコ遊技機１の裏面（機構盤４０）に設置されている球抜きスイッチ８２を押圧することができる。
【００４１】
以上、本発明の一実施例について説明したが、本発明は前述した実施例に何等限定されるものではなく、更に種々の態様において実施しても良いことはもちろんである。
例えば、実施例では、内枠２０を開けなければ入力手段（球抜きスイッチ８２）を操作することができない様に構成されているが、鍵，暗号等を用いてパチンコ遊技機１の表面側から操作することができる様に構成されていても良い。
【００４２】
又、実施例の賞球路球センサ７４の代わりに所謂マイクロスイッチを採用しても良い。
又、実施例では、入賞球は入賞球排出装置７６（入賞球保持機構７６ａ）によって一時的に保持され、メイン基板８０に記憶されている一般入賞個数が０でなければ７個の賞球を払い出す払出動作が行われ、一般入賞個数が０であれば１５個の賞球を払い出す払出動作が行われ、各払出動作が行われる毎に、保持されている入賞球が１個ずつ排出される様に構成されているが、入賞球排出装置７６を排除し、代わりに、一般入賞個数及び大入賞口に入賞したパチンコ球の個数（以下「特別入賞個数」という。）をメイン基板８０に記憶させ、７個の賞球を払い出す払出動作又は１５個の賞球を払い出す払出動作が行われる毎に、メイン基板８０に記憶されている一般入賞個数又は特別入賞個数が１ずつ減少される様に構成されていても良い。
【００４３】
この様に構成されている場合にも、同様に、賞球が２９個以下となって賞球路球センサ７４が賞球の存在を検出することができなくなった際、球抜きスイッチ８２を押した状態で大入賞口にパチンコ球を１個投入すれば、賞球払出装置７２から１５個の賞球が払い出され、もう１個投入すれば、賞球は全て払い出されるので、賞球を容易に抜き取ることができる。加えて、入賞球排出装置７６を排除すれば、入賞球排出装置７６を構成する部品及び入賞球排出装置７６を組み立てる作業が不要となるので、製造コストを若干削減することができ、又、入賞球排出装置７６を構成するソレノイド７６ｓの励磁・非励磁の制御が不要となるので、枠制御基板７８が行う処理を若干簡略化することができ、又、入賞球排出装置７６が設置されていた箇所に他の装置を設置することができるので、機構盤４０を若干小型化することができる。
【図面の簡単な説明】
【図１】実施例のパチンコ遊技機の裏面の外観を説明するための斜視図である。
【図２】内枠及び機構盤が開けられている状態を説明するための斜視図である。
【図３】機構盤に設置されている各種装置の配置を説明するための模式的正面図である。
【図４】賞球の払い出しにかかる装置の電気的接続関係を説明するためのブロック図である。
【図５】賞球路球センサの構成を説明するための回路図である。
【図６】枠制御基板の演算制御回路が行う賞球払出処理の流れを説明するためのフローチャートである。
【符号の説明】
１…パチンコ遊技機    １０…外枠    １２ａ，１２ｂ…被掛止板    １４ａ，１４ｂ…軸支部材    ２０…内枠    ２２ａ，２２ｂ…掛止鈎    ２４…ミドルプレート    ２６…球受け    ２８ａ，２８ｂ…軸支部材    ３０…遊技盤
４０…機構盤    ４０ａ…開口部    ４２…賞球タンク    ４４ａ…賞球路
４４ｂ…賞球路    ４６…球抜き路    ４６ａ…球抜き弁    ５０…パチンコ球発射装置    ５２…ベース    ６０…内枠開放検出部    ７２…賞球払出装置    ７２ａ…モータ    ７２ｂ…スプロケット    ７４…賞球路球センサ
７６…入賞球排出装置    ７６ａ…入賞球保持機構    ７６ｂ…入賞球センサ
７６ｐ…プランジャ    ７６ｓ…ソレノイド    ７８…枠制御基板    ７８ａ…演算制御回路    ７８ｂ…入出力回路    ７８ｔ…電源ターミナル    ８０…メイン基板    ８２…球抜きスイッチ    ８４…賞球切れランプ    Ｃ…電力供給ケーブル    Ｄ１，Ｄ２…発光ダイオード    Ｐ１，Ｐ２…フォトトランジスタ    Ｒ１，Ｒ２，Ｒ３…抵抗    Ｔ１，Ｔ２，Ｔ３，Ｔ４…端子    Ｘ１，Ｘ２…トランジスタ。
【図１】
0003605581.tif 000002
【図２】
0003605581.tif 000003
【図３】
0003605581.tif 000004
【図４】
0003605581.tif 000005
【図５】
0003605581.tif 000006
【図６】
0003605581.tif 000007